(57)【特許請求の範囲】
【請求項１】
調査対象者の衣類に装着された状態で動作する携帯型記憶装置であって、
前記調査対象者が前記衣類を脱いだことを検出する脱衣検出手段と、
前記調査対象者の脱衣が、前記脱衣検出手段によって検出されたことを条件として、前記調査対象者の周辺環境に関する調査情報を取得する調査情報取得手段と、
該調査情報取得手段により取得された調査情報を所定の記憶装置に保存する調査情報保存手段とを含み、
前記調査情報取得手段は、前記調査対象者に関する位置情報と音情報との少なくとも何れか一方を含む調査情報を取得する
ことを特徴とする携帯型記憶装置。
【請求項２】
調査対象者の衣類に装着された状態で動作する携帯型記憶装置であって、
前記調査対象者が前記衣類を脱いだことを検出する脱衣検出手段と、
該脱衣検出手段による検出結果に基づいて前記調査対象者の周辺環境に関する調査情報を取得する調査情報取得手段と、
該調査情報取得手段により取得された調査情報を所定の記憶装置に保存する調査情報保存手段とを含み、
前記調査対象者が前記衣類を着たことを検出する着衣検出手段を有し、
前記調査情報取得手段は、前記着衣検出手段による検出結果に基づいて前記調査情報の取得を終了する
ことを特徴とする携帯型記憶装置。
【発明の詳細な説明】
【技術分野】
【０００１】
本発明は、調査対象者の衣類に装着された状態で動作する携帯型記憶装置に関する。
【背景技術】
【０００２】
従来、接触センサ、温度センサ、加速度センサ、光センサなど各種のセンサが種々提案されている。
【０００３】
そして、各種センサを用いた調査用システムも種々提案されている。例えば、本出願人は、下記特許文献１において、各種センサ（静電容量方式タッチセンサ、半導体温度センサ、半導体加速度センサ、半導体光センサ）の何れか又はそれらを組み合わせたものを利用した浮気確認装置を提案している。
【先行技術文献】
【特許文献】
【０００４】
【特許文献１】特開２０１３−０３６１５４号公報
【発明の概要】
【発明が解決しようとする課題】
【０００５】
しかし、従来のシステムでは、衣類を脱いだ事実（以下「脱衣事実」という。）やその時刻および間隔を解析することができても、結果的に調査結果としての情報が乏しいと認識されてしまう場合があるという問題があった。
【０００６】
本発明は、上述した問題を解決し、脱衣事実が証拠となる調査に関してより有力な証拠を取得できるようにすることを目的とする。
【課題を解決するための手段】
【０００７】
本発明の携帯型記憶装置は、調査対象者の衣類に装着された状態で動作する携帯型記憶装置であって、前記調査対象者が前記衣類を脱いだことを検出する脱衣検出手段と、前記調査対象者の脱衣が、前記脱衣検出手段によって検出されたことを条件として、前記調査対象者の周辺環境に関する調査情報を取得する調査情報取得手段と、該調査情報取得手段により取得された調査情報を所定の記憶装置に保存する調査情報保存手段とを含むことを特徴とする。
【０００８】
上記の構成としたことで、脱衣事実が証拠となる調査に関してより有力な証拠を取得できるようになる。
【０００９】
前記調査情報取得手段は、前記調査対象者に関する位置情報と音情報との少なくとも何れか一方を含む調査情報を取得する構成とされていてもよい。
【００１０】
前記調査対象者が前記衣類を着たことを検出する着衣検出手段を有し、前記調査対象者が前記衣類を着たことを検出する着衣検出手段を有し、前記調査情報取得手段は、前記着衣検出手段による検出結果に基づいて前記調査情報の取得を終了する構成とされていてもよい。
【発明の効果】
【００１３】
本発明によれば、脱衣事実が証拠となる調査に関してより有力な証拠を取得できるようになる。
【図面の簡単な説明】
【００１４】
【図１】調査システムの構成の例を示すブロック図である。
【図２】携帯型記憶装置の構成の例を示すブロック図である。
【図３】調査情報の格納状態の例を示す説明図である。
【図４】調査関連処理の例を示すフローチャートである。
【図５】出力関連処理の例を示すフローチャートである。
【図６】調査結果画面の例について説明するための説明図である。
【図７】調査システムの他の構成の例を示すブロック図である。
【図８】携帯型記憶装置の斜視概略図である。
【図９】携帯型記憶装置の使用方法について説明するための説明図である。
【図１０】携帯型記憶装置の使用方法について説明するための説明図である。
【図１１】携帯型記憶装置の使用方法について説明するための説明図である。
【００１５】
以下、本発明の実施の形態の例について図面を参照して説明する。なお、各実施の形態に特に関係しない動作や処理については、その説明を省略している場合がある。また、各フローチャートを構成するブロックに対応する各種処理は、処理内容に矛盾等が生じない範囲で順不同である。
【発明を実施するための形態】
【００１６】
［第１の実施の形態］
図１は、本発明の第１の実施の形態に係る調査システム１００の構成の例を示すブロック図である。図１に示すように、調査システム１００は、携帯型記憶装置１０と、出力装置２０とを含む。なお、調査システム１００の構成はこれに限定されず、例えば携帯型記憶装置１０に対するデータの出入力操作を行うための機器（データ出入力器）を備える構成としてもよいし、複数の携帯型記憶装置１０を備える構成としてもよい。また、調査システム１００を構成する各要素は、無線又は有線で接続される。すなわち、例えば携帯型記憶装置１０と出力装置２０とが、無線通信を行う構成としてもよいし、有線通信を行う構成としてもよい。本例では、携帯型記憶装置１０と出力装置２０とがケーブルで接続可能な場合を例にして説明する。
【００１７】
携帯型記憶装置１０は、調査対象者の衣類に装着された状態で動作するための各種機能を有する。なお、本例において衣類とは、身に着けるもの一般を意味するものとする。すなわち、衣類の例には、ベルトのバックル、カバン、キーホルダ、帽子などが含まれてもよい。
【００１８】
ここで、携帯型記憶装置１０を衣類に装着するための構成は特に限定されないが、調査者に発見される可能性がより低くなる構成が好適である。携帯型記憶装置１０を衣類に取り付けるための構成の例には、フックやクリップがある。なお、携帯型記憶装置１０を衣類に縫い付ける方法や、接着テープを用いる方法を用いる場合、衣類に装着するための構成を携帯型記憶装置１０が備えていない構成としてもよい。
【００１９】
また、携帯型記憶装置１０が動作するとは、携帯型記憶装置１０が備えるセンサが動作し、かつ使用目的に応じた情報を取得することを意味する。
【００２０】
図２は、携帯型記憶装置１０の構成の例を示すブロック図である。図２に示すように、携帯型記憶装置１０は、脱衣検出部１１と、調査情報取得部１２と、調査情報保存部１３とを含む。なお、図示しないが、携帯型記憶装置１０は、制御部や、携帯型記憶装置１０の内部または外部に設けられたバッテリなど、携帯型記憶装置として動作するために通常設けられる構成要素を含む。以下、脱衣検出部１１としての脱衣検出センサと、調査情報取得部１２としてのＧＰＳ装置およびレコーダと、制御部としてのマイクロコンピュータ（以下「マイコン」という。）とが１つのユニットになったものを例にして携帯型記憶装置１０の構成を説明する。
【００２１】
脱衣検出部１１は、調査対象者が衣類を脱いだことを検出する機能を有する。本例において、脱衣検出部１１は、静電容量方式タッチセンサ、半導体温度センサ、半導体加速度センサ、コンパスやピッチやロールを検出する姿勢検出手段であるジャイロセンサ（３軸）、又は半導体光センサの組合せ又は単独により、調査対象者が衣類を脱いだことを検出する。なお、各主センサは、その特性に応じて携帯型記憶装置１０の表面または内部に設置される。
【００２２】
ここで、センサの検出結果に応じて調査対象者が衣類を脱いだか否かは、所定の判定基準（以下「脱衣判定基準」という。）に従って判定される。すなわち、例えば衣類が調査対象の体から離れたことを、静電容量方式タッチセンサでは静電容量の減少で検出し、半導体温度センサでは温度が下がることで検出し、半導体加速度センサでは加速度がゼロになることで検出し、ジャイロセンサでは姿勢が所定時間変化しないことで検出し、半導体光センサでは明るくなることで検出する。なお、脱衣判定基準は携帯型記憶装置１０の装着状態（あるいは設置状態）に応じて可変であることが好適である。すなわち、例えば携帯型記憶装置１０がカバンに装着されている場合、脱衣検出部１１が、加速度センサ等のセンシング値が変化しないことをもって、衣類を脱いだことを検出する構成としてもよい。
【００２３】
なお、本例においては、脱衣検出部１１は、脱衣を検出した後に、調査対象者が衣類を着たこと（以下「着衣」という。）を検出する機能をも有する。なお、脱衣検出部１１とは異なる部分が着衣を検出する構成としてもよい。調査対象者による着衣を検出するための構成の例には、調査対象者による脱衣を検出したことを所定の記憶領域に保存し、その後に各種センサにより衣類が調査対象に触れた状態にあることを検出した際に「着衣を検出した」と判定する構成がある。
【００２４】
調査情報取得部１２は、脱衣検出部１１による検出結果に基づいて調査対象者の周辺環境に関する調査情報を取得する機能を有する。すなわち、本例において、調査情報取得部１２は、検出結果が所定の開始条件を満たした場合に調査情報を取得するための処理を開始する。ここで、開始条件の内容は特に限定されないが、有用な調査情報の取得と電力消費量とが考慮された内容であることが好ましく、ユーザが適宜設定可能な構成であることが好適である。開始条件の例には、脱衣が検出された直後や、脱衣状態が所定時間継続した後がある。
【００２５】
また、調査情報とは、調査目的に対応する情報を意味する。調査情報の内容は特に限定されないが、調査目的に応じた証拠となり得る種類の情報であることが好適である。調査情報の例には、位置情報や音情報がある。なお、位置情報や音情報を取得するための構成には公知の技術を用いるので、ここでの詳細な説明は省略する。なお、調査情報取得部１２が位置情報や音情報を取得する構成とする場合（すなわち、携帯型記憶装置１０が位置や音声を取得するモードを有する場合）、例えば所定時間毎に位置情報や音情報を取得する構成としてもよい。これにより、取得する情報が過大になることを防止することができる。
【００２６】
調査情報保存部１３は調査情報取得部１２により取得された調査情報を所定の記憶装置（図示せず）に保存する機能を有する。なお、所定の記憶装置は、携帯型記憶装置１０の内部にあってもよいし、外部にあってもよい。
【００２７】
図３は、所定の記憶装置における調査情報の格納状態の例を示す説明図である。図３に示すように、調査情報は、装置ＩＤと、開始条件と、位置情報と、音情報とを含む。
【００２８】
ここで、装置ＩＤとは、携帯型記憶装置１０を一意に識別可能な識別情情報を意味する。なお、調査情報が、調査依頼者の識別情報や調査対象者の識別情報を含む構成としてもよい。
【００２９】
また、開始条件とは、調査情報を取得するための処理を携帯型記憶装置１０が開始する条件を意味する。
【００３０】
また、位置情報とは、調査対象者又は調査対象者付近の位置を示す情報を意味する。位置情報は、調査者または調査依頼者が調査対象者の位置を推定可能なものであればよく、その内容は特に限定されない。位置情報の例には、ＧＰＳを用いて取得可能な位置情報や、基地局を用いて取得可能な位置情報がある。
【００３１】
また、音情報とは、調査対象者又は調査対象者周辺の音を再生するための情報を意味する。なお、記憶装置が携帯型記憶装置１０の内容に設けられる構成とする場合、携帯型記憶装置１０が、音情報の取得（録音）及び再生が可能なＩＣレコーダとしての機能を備える構成としてもよい。
【００３２】
出力装置２０は、例えばパーソナルコンピュータや携帯端末（例えば、多機能携帯電話、スマートフォン、スマホ）、専用デバイスなどの情報処理装置によって構成される。本例において、出力装置２０は、携帯型記憶装置１０によって保存された調査情報を所定の形態で出力する機能を有する。なお、調査情報の出力形態はユーザがその内容を認識可能な形態であれば特に限定されない。
【００３３】
次に、本例における調査システム１００の動作について図面を参照して説明する。
【００３４】
図４は、調査システム１００が実行する調査関連処理の例を示すフローチャートである。調査関連処理では、調査情報に関連する処理が行われる。
【００３５】
調査関連処理は、例えば携帯型記憶装置１０が起動されたことに応じて開始される。なお、本例において、携帯型記憶装置１０は、起動された状態で調査対象の衣類に装着されているものとする。
【００３６】
調査関連処理において、先ず、携帯型記憶装置１０は、調査対象者による脱衣を検出したか否かを判定する（ステップＳ１０１）。本例において、携帯型記憶装置１０は、衣類が調査対象者から離れたことを示す検出結果が取得された場合に、脱衣を検出したと判定する。ここで、脱衣を検出していないと判定すると（ステップＳ１０１のＮ）、携帯型記憶装置１０は、例えば所定の時間間隔をあけた後、脱衣を検出したか否かを判定する。
【００３７】
一方、脱衣を検出したと判定すると（ステップＳ１０１のＹ）、携帯型記憶装置１０は、調査情報を取得する（ステップＳ１０２）。本例において、携帯型記憶装置１０は、自身に設けられた位置情報取得装置とボイスレコーダとを起動することにより調査情報の取得を開始する。
【００３８】
携帯型記憶装置１０は、調査情報を取得すると、調査対象者による着衣を検出したか否かを判定する（ステップＳ１０３）。本例において、携帯型記憶装置１０は、衣類が調査対象者に触れたことを示す検出結果が取得された場合に、着衣を検出したと判定する。ここで、着衣を検出していないと判定すると（ステップＳ１０３のＮ）、携帯型記憶装置１０は、調査情報の取得を継続する。
【００３９】
一方、着衣を検出したと判定すると（ステップＳ１０３のＹ）、携帯型記憶装置１０は、取得した調査情報を所定の記憶装置に保存し（ステップＳ１０４）、ここでの処理を終了する。本例において、携帯型記憶装置１０は、調査情報の取得開始後、調査情報の取得を終了するまでに取得した調査情報を所定の記憶装置の所定の記憶領域に保存する。なお、調査情報の取得を終了するための条件は着衣検出後に限定されないが、調査情報の取得と消費電力の低下を考慮した条件であることが好適である。終了条件の例には、脱衣検出時から所定時間が経過したことがある。
【００４０】
図５は、調査システム１００が実行する出力関連処理の例を示すフローチャートである。出力関連処理では、調査情報の出力に直接または間接に関連する処理が行われる。
【００４１】
出力関連処理は、例えば携帯型記憶装置１０と出力装置２０とが接続されたことに応じて開始される。
【００４２】
出力関連処理において、先ず、携帯型記憶装置１０は、出力装置２０によるアクセスを許容するか否かを判定する（ステップＳ２０１）。本例においては、携帯型記憶装置１０が、出力装置による所定のパスワードの入力を要求することで許容判定を行う。ここで、携帯型記憶装置１０がアクセスを許容しないと判定すると（ステップＳ２０１のＮ）、ここでの処理は終了する。
【００４３】
一方、携帯型記憶装置１０がアクセスを許容すると判定すると、出力装置２０のユーザによる出力要求を受け付けたか否かを判定する（ステップＳ２０２）。本例においては、先ず、出力装置が備える記憶装置に携帯型記憶装置１０により保存された調査情報がコピーされる。そして、出力装置２０が、ユーザ操作に応じて調査情報の出力要求を受け付けたか否かを判定する。ここで、例えば他の要求を受け付けたことにより出力要求を受け付けないと判定すると（ステップＳ２０２のＮ）、出力装置２０はここでの処理は終了する。
【００４４】
一方、出力要求を受け付けたと判定すると（ステップＳ２０２のＹ）、出力装置２０は、調査情報を出力して（ステップＳ２０３）、ここでの処理を終了する。本例において、出力装置２０は、調査情報を表示する領域を備えた画面（調査結果画面）を表示装置の表示画面に表示する。
【００４５】
図６は、調査結果画面の例について説明するための説明図である。図６に示すように、調査結果画面には、調査期間を表示する領域６０１と、調査情報の少なくとも一部を表示する領域（調査情報表示領域）６０２とが設けられる。
【００４６】
本例において、調査情報表示領域６０２には、脱衣を検出した日時と、そのときの位置情報と、そのときに録音された音情報の再生ボタンとが表示される。
【００４７】
なお、出力装２０が出力する画面は調査結果画面に限定されず、調査に関する各種画面が表示され得る。出力装置２０が出力する画面の他の例には、開始条件の編集画面や利用センサの選択画面がある。開始条件や利用センサをユーザが更新可能な構成とすることで、調査の特性に応じてバッテリの利用効率を向上させることができるようになる。
【００４８】
以上に説明したように、上述した第１の実施の形態では、調査対象者の衣類に装着された状態で動作する携帯型記憶装置１０が、調査対象者が衣類を脱いだことを検出し（例えば、ステップＳ１０１）、検出結果に基づいて調査対象者の周辺環境に関する調査情報を取得し（例えば、ステップＳ１０２）、取得した調査情報を所定の記憶装置に保存する（例えば、ステップＳ１０４）構成としているので、脱衣事実が証拠となる調査に関してより有力な証拠を取得できるようになる。
【００４９】
すなわち、上述した第１の実施の形態では、携帯型記憶装置１０が、脱衣を検出した後に調査情報を取得する構成としているので、脱衣事実に加えてより証拠能力の高い情報を取得することができる。
【００５０】
また、上述した第１の実施の形態では、携帯型記憶装置１０が、調査対象者に関する位置情報と音情報との少なくとも何れか一方を含む調査情報を取得する構成としているので、脱衣事実と併せて有用となり得る情報を取得できるようになる。すなわち、例えば配偶者の浮気行為や未成年者の不健全性的行為を調査する際、浮気の証拠となる音声や浮気を実行した位置を入手することができるようになる。
【００５１】
なお、上述した第１の実施の形態では特に言及していないが、携帯型記憶装置１０が、調査情報を取得した日時を調査情報と対応付けて保存する構成としてもよい。このような構成とすることにより、例えば配偶者の浮気行為や未成年者の不健全性的行為を調査する際、浮気を実行した日時を入手することができるようになる。
【００５２】
また、上述した第１の実施の形態では、携帯型記憶装置１０が、調査対象者が衣類を着たことを検出し（例えば、ステップＳ１０３）、検出結果に基づいて調査情報の取得を終了する構成としているので、調査目的に応じた範囲でバッテリの利用効率を向上させることができる。
【００５３】
［第２の実施の形態］
図７は、本発明の第２の実施の形態に係る調査システム１００１の構成の例を示すブロック図である。図７に示すように、調査システム１００１は、携帯型記憶装置１０１と、データ出入力器３０１と、出力装置としてのパーソナルコンピュータ（パソコン）２０１とを備える。なお、調査システム１００１の構成はこれに限定されず、例えばパソコンの代わりにスマートフォンを備える構成としてもよい
【００５４】
図７に示すように、携帯型記憶装置１０１は、第１ユニット１１０と、第２ユニット１２０と、第３ユニット１３０とを含み、別体で成形された各ユニットが互いに通信して、調査システムとしての機能を実現する。
【００５５】
第１ユニット１１０は、ＧＰＳ装置（位置取得手段）１１１と、マイコン１１２と、予備メモリ１１３とを含む。ここで、ＧＰＳ装置１１１は、アンテナ１１４の機能により外部装置と通信して位置情報を取得する。また、予備メモリ１１３は、ＧＰＳ装置１１１により取得された位置情報を記憶する。
【００５６】
第２ユニット１２０は、脱衣センサ１２１と、マイコン１２２と、予備メモリ１２３とを含む。ここで、予備メモリ１２３は、脱衣センサ１２１により脱衣が検出された際の情報（すなわち、センサによる検出結果を示す情報）を記憶する。
【００５７】
第３ユニット１３０は、レコーダ（録音手段、音情報取得手段）１３１と、マイコン１３２と、予備メモリ１３３とを含む。ここで、予備メモリ１３３は、レコーダ１３１により取得された音情報を記憶する。
【００５８】
図８は、携帯型記憶装置１０１の斜視概略図である。図８に示すように、各構成要素を整理して配置することで、携帯型記憶装置１０１は小型かつ薄型の形態となる。なお、携帯型記憶装置１０１の大きさは、縦が略２０ｍｍ、横が略１０ｍｍ、高さが略２ｍｍとなるように製造されることが好適である。
【００５９】
図９は、携帯型記憶装置１０１の使用方法について説明するための説明図である。図９は、調査対象者が外出する際に着用する衣類（ズボン）９００である。衣類９００の折り返し部９０１の内側に携帯型記憶装置１０１を取り付けることで、調査を実現できる。なお、携帯型記憶装置１０１の取付位置は特に限定されず、携帯型記憶装置１０１が調査対象者の視界に入らない位置であればよい。取付位置の他の例には、衣類９００の後ろポケット９０２の裏や（図１０参照）、調査対象者が外出する際に着用する衣類（上着）の襟の折り返し部９０３の内側がある（図１１参照）。
【００６０】
以上に説明したように、第２の実施の形態として、携帯型記憶装置１０１が、第１ユニット１１０と、第２ユニット１２０と、第３ユニット１３０とを備え、各ユニットが互いに通信する構成とされていてもよい。
【００６１】
なお、上述した各実施の形態では特に言及していないが、携帯型記憶装置が、取得した情報をサーバに記憶させる構成としてもよい。この場合、携帯型記憶装置が、調査情報を取得し、自身が備えるメモリに調査情報を保存し、所定時機（例えば、毎日０時）にメモリに保存した調査情報をサーバに送信し、メモリからは調査情報を消去する構成としてもよい。このような構成とすることで、携帯型記憶装置に設ける記憶装置を縮小化させることができるようになる。また、出力装置が、サーバと通信することで調査情報を出力可能な構成とされることにより、調査者または調査依頼者が、に携帯型記憶装置が手元にない場合でも調査情報を確認することができるようになる。
【００６２】
なお、上述した各実施の形態では特に言及していないが、携帯型記憶装置や出力装置は、自己が備える記憶装置に記憶されている各種制御プログラム（例えば、調査プログラム）に従って、上述した各種の処理（図４、図５参照）を実行する。
【産業上の利用可能性】
【００６３】
本発明は、脱衣事実が証拠となる調査に関してより有力な証拠を取得することができるようにするのに有用である。
【符号の説明】
【００６４】
１０，１０１  携帯型記憶装置
１１  脱衣検出部
１２  調査情報取得部
１３  調査情報保存部
２０  出力装置
１００，１００１  調査システム
【図１】
0006480144.tif 000002
【図２】
0006480144.tif 000003
【図３】
0006480144.tif 000004
【図４】
0006480144.tif 000005
【図５】
0006480144.tif 000006
【図６】
0006480144.tif 000007
【図７】
0006480144.tif 000008
【図８】
0006480144.tif 000009
【図９】
0006480144.tif 000010
【図１０】
0006480144.tif 000011
【図１１】
0006480144.tif 000012